(57)【特許請求の範囲】
【請求項１】
印刷を行う印刷手段と前記印刷手段によって印刷された印刷物を排紙する排紙手段とを有する画像形成装置と、印刷物を給紙する給紙手段と前記給紙手段によって給紙した印刷物に後処理を行う後処理手段とを有するフィニッシャ装置と前記フィニッシャ装置を制御するフィニッシャ制御装置とにより構成されるポストプレス部と、前記画像形成装置及び前記ポストプレス部とを制御する印刷制御装置とで構成される印刷システムであって、
前記印刷制御装置は、前記フィニッシャ装置の前記給紙手段が実行可能な給紙方法を示す能力情報を取得する取得手段と、
前記取得手段によって取得された能力情報に基づいて、前記画像形成装置の前記排紙手段の排紙方法を決定する決定手段と、
ジョブの識別情報と前記決定手段によって決定された排紙方法とを関連付けて前記ポストプレス部に通知する通知手段と、
前記ジョブに含まれるコンテンツと、前記識別情報をジョブチケットに含まれる情報として付加した前記ジョブチケットとをともに印刷させるよう前記画像形成装置の前記印刷手段を制御し、前記決定手段によって決定した排紙方法で排紙を行わせるよう前記画像形成装置の前記排紙手段を制御する制御手段とを有し、
前記ポストプレス部は、前記給紙手段が前記印刷物を給紙する際に前記通知手段により通知された識別情報から前記ジョブチケットに印刷されている識別情報と一致する識別情報を検索する検索手段と、
前記検索手段によって検索された前記識別情報に関連付けられている排紙方法と、前記フィニッシャ装置の前記給紙手段の給紙方法とを比較する比較手段と、
前記比較手段によって比較された結果、前記排紙方法と前記給紙方法が一致している場合には前記後処理を行わせるよう前記後処理手段を制御し、
前記比較手段によって比較された結果、前記排紙方法と前記給紙方法が一致していない場合には前記後処理を行わせないよう前記後処理手段を制御するフィニッシャ制御手段とを有し、
前記制御手段は、前記比較手段によって比較された結果、前記排紙方法と前記給紙方法が一致していない場合に、前記フィニッシャ装置の前記給紙手段の給紙方法を変更するように促す警告を行わせるよう警告手段を制御することを特徴とする印刷システム。
【請求項２】
印刷を行う印刷手段と前記印刷手段によって印刷された印刷物を排紙する排紙手段とを有する画像形成装置と、印刷物を給紙する給紙手段と前記給紙手段によって給紙した印刷物に後処理を行う後処理手段とを有するフィニッシャ装置と前記フィニッシャ装置を制御するフィニッシャ制御装置とにより構成されるポストプレス部と、前記画像形成装置及び前記ポストプレス部とを制御する印刷制御装置とで構成される印刷システムであって、
前記印刷制御装置は、前記フィニッシャ装置の前記給紙手段が実行可能な給紙方法を示す能力情報を取得する取得手段と、
前記取得手段によって取得された能力情報に基づいて、前記画像形成装置の前記排紙手段の排紙方法を決定する決定手段と、
ジョブの識別情報と前記決定手段によって決定された排紙方法とを関連付けて前記ポストプレス部に通知する通知手段と、
前記ジョブに含まれるコンテンツと、前記識別情報をジョブチケットに含まれる情報として付加した前記ジョブチケットとをともに印刷させるよう前記画像形成装置の前記印刷手段を制御し、前記決定手段によって決定した排紙方法で排紙を行わせるよう前記画像形成装置の前記排紙手段を制御する制御手段とを有し、
前記ポストプレス部は、前記給紙手段が前記印刷物を給紙する際に前記通知手段により通知された識別情報から前記ジョブチケットに印刷されている識別情報と一致する識別情報を検索する検索手段と、
前記検索手段によって検索された前記識別情報に関連付けられている排紙方法と、前記フィニッシャ装置の前記給紙手段の給紙方法とを比較する比較手段と、
前記比較手段によって比較された結果、前記排紙方法と前記給紙方法が一致している場合には前記後処理を行わせるよう前記後処理手段を制御し、
前記比較手段によって比較された結果、前記排紙方法と前記給紙方法が一致していない場合には前記後処理を行わせないよう前記後処理手段を制御するフィニッシャ制御手段とを有し、
前記制御手段は、前記比較手段によって比較された結果、前記排紙方法と前記給紙方法が一致していない場合に、前記フィニッシャ装置の前記給紙手段の給紙方法を変更させるよう変更手段を制御することを特徴とする印刷システム。
【請求項３】
印刷を行い印刷された印刷物を排紙する画像形成装置と、印刷物を給紙し給紙した印刷物に後処理を行うフィニッシャ装置と前記フィニッシャ装置を制御するフィニッシャ制御装置とにより構成されるポストプレス部と、前記画像形成装置及び前記ポストプレス部とを制御する印刷制御装置とで構成される印刷システムを制御する印刷制御方法であって、
前記フィニッシャ装置が実行可能な給紙方法を示す能力情報を取得する取得ステップと、
前記取得ステップで取得された能力情報に基づいて、前記画像形成装置の排紙方法を決定する決定ステップとを有し、
ジョブの識別情報と前記決定ステップで決定された排紙方法とを関連付けて前記ポストプレス部に通知する通知ステップと、
前記ジョブに基づいた処理を前記画像形成装置に行わせるよう制御し、前記識別情報を付加したジョブチケットとともに印刷させるよう前記画像形成装置を制御し、前記決定ステップで決定した排紙方法で排紙を行わせるよう前記画像形成装置を制御し、
また、前記フィニッシャ装置が前記印刷物を給紙する際に前記通知ステップにより通知された識別情報から前記ジョブチケットに印刷されている識別情報と一致する識別情報を検索する検索ステップと、
前記検索ステップで検索された前記識別情報に関連付けられている排紙方法と、前記フィニッシャ装置の給紙方法とを比較する比較ステップとを有し、
前記比較ステップで比較された結果、前記排紙方法と前記給紙方法が一致している場合には前記後処理を行わせるよう前記フィニッシャ装置を制御し、
前記比較ステップで比較された結果、前記排紙方法と前記給紙方法が一致していない場合には前記後処理を行わせないよう前記フィニッシャ装置を制御し、
前記比較ステップで比較された結果、前記排紙方法と前記給紙方法が一致していない場合に、前記フィニッシャ装置の前記給紙手段の給紙方法を変更するように促す警告を行わせるよう制御することを特徴する印刷制御方法。
【請求項４】
印刷を行い印刷された印刷物を排紙する画像形成装置と、印刷物を給紙し給紙した印刷物に後処理を行うフィニッシャ装置と前記フィニッシャ装置を制御するフィニッシャ制御装置とにより構成されるポストプレス部と、前記画像形成装置及び前記ポストプレス部とを制御する印刷制御装置とで構成される印刷システムを制御する印刷制御方法であって、
前記フィニッシャ装置が実行可能な給紙方法を示す能力情報を取得する取得ステップと、
前記取得ステップで取得された能力情報に基づいて、前記画像形成装置の排紙方法を決定する決定ステップとを有し、
ジョブの識別情報と前記決定ステップで決定された排紙方法とを関連付けて前記ポストプレス部に通知する通知ステップと、
前記ジョブに基づいた処理を前記画像形成装置に行わせるよう制御し、前記識別情報を付加したジョブチケットとともに印刷させるよう前記画像形成装置を制御し、前記決定ステップで決定した排紙方法で排紙を行わせるよう前記画像形成装置を制御し、
また、前記フィニッシャ装置が前記印刷物を給紙する際に前記通知ステップにより通知された識別情報から前記ジョブチケットに印刷されている識別情報と一致する識別情報を検索する検索ステップと、
前記検索ステップで検索された前記識別情報に関連付けられている排紙方法と、前記フィニッシャ装置の給紙方法とを比較する比較ステップとを有し、
前記比較ステップで比較された結果、前記排紙方法と前記給紙方法が一致している場合には前記後処理を行わせるよう前記フィニッシャ装置を制御し、
前記比較ステップで比較された結果、前記排紙方法と前記給紙方法が一致していない場合には前記後処理を行わせないよう前記フィニッシャ装置を制御し、
前記比較ステップで比較された結果、前記排紙方法と前記給紙方法が一致していない場合に、前記フィニッシャ装置の給紙方法を変更させるよう制御することを特徴する印刷制御方法。
【請求項５】
請求項３ないし４のいずれか一項の印刷制御方法をコンピュータに実行させることが可能なプログラム。
【請求項６】
請求項５のプログラムを格納したコンピュータ読取り可能な記憶媒体。
【発明の詳細な説明】
【技術分野】
【０００１】
本発明は、画像形成装置、フィニッシャ装置及び、フィニッシャ制御装置を制御可能な印刷制御装置、それらを含む印刷システム及び、印刷制御方法に関するものである。
【背景技術】
【０００２】
従来、ＰＯＤ（Ｐｒｉｎｔ  Ｏｎ  Ｄｅｍａｎｄ）等の印刷システムにおいて、印刷機とニアラインフィニッシャがニアライン連携を行う場合、ジョブチケットをジョブに含まれるコンテンツとともに印刷機で印刷及び排紙を行う。そして、オペレータはそのジョブチケットの内容に基づいて給紙及びフィニッシング処理を行う。上記のようなニアライン連携においてニアラインフィニッシャでは実行可能な給紙方法が決まっており、印刷機はニアラインフィニッシャが実行可能な給紙方法と一致した排紙方法で排紙を行う必要がある。排紙方法には、印刷物の表面を下向きに排紙するフェースダウンと、印刷物の表面を上向きに排紙するフェースアップとの２種類がある。
【０００３】
このように印刷とフィニッシング処理とを別装置で行う印刷システムにおいては、印刷機によって印刷された印刷物が、印刷のみで処理が終了であるのか、印刷後にフィニッシング処理を必要とするのかの区別をオペレータが行う必要があった。そのため、オペレータが必要とする処理を誤るといったヒューマンエラーにより、正しい処理による結果物が得られないという問題があった。
【０００４】
このようなヒューマンエラーを防ぐための技術として特許文献１が挙げられる。特許文献１では、オペレータが、印刷された印刷物に対してどのような処理をする必要があるのかを見極めるため、印刷機がバナーページの添付、操作部表示を行うことで、オペレータにジョブに対する適切な処理を知らせる技術が開示されている。
【特許文献１】特開２００７−６００９７号公報
【発明の開示】
【発明が解決しようとする課題】
【０００５】
しかしながら、上述した従来の技術では、印刷後に行なわれるべき処理内容はわかるものの、両面印刷された場合にはオペレータは印刷物がどの排紙方法で排紙されたのかがわからない。そのため、ニアラインフィニッシャの給紙方法を間違えてしまう可能性がある。また、ニアラインフィニッシャがフェースアップあるいはフェースダウンどちらの給紙方法でも実行可能な場合には入稿時にフィニッシャの給紙方法の設定を印刷機での排紙方法に一致するように設定する必要がある。そのため、ニアラインフィニッシャの給紙方法の設定を間違え、印刷物に対して誤ったフィニッシング処理がなされてしまう可能性があった。
【０００６】
また、印刷物のフィニッシング処理内容を示す作業指示書として、ジョブチケットをコンテンツとともに印刷する方法が一般的に使用されている。しかし、フェースダウンで印刷を行った場合、印刷機によって印刷されたジョブチケットが印刷物の最下部に排紙されてしまい、オペレータが入手できなくなってしまうという問題点があった。
【０００７】
本発明は上記問題点に鑑みてなされたものであり、印刷機の排紙方法とニアラインフィニッシャの給紙方法とが一致していない状態でフィニッシング処理が行われることを防止することができるシステムを提供することを目的とする。
【０００８】
また、印刷機の排紙方法に関わらず、オペレータが確実にジョブチケットを取得できるシステムを提供することを目的とする。
【課題を解決するための手段】
【０００９】
上述した課題を解決するために、本発明の印刷制御システムは、印刷を行う印刷手段と前記印刷手段によって印刷された印刷物を排紙する排紙手段とを有する画像形成装置と、印刷物を給紙する給紙手段と前記給紙手段によって給紙した印刷物に後処理を行う後処理手段とを有するフィニッシャ装置と前記フィニッシャ装置を制御するフィニッシャ制御装置とにより構成されるポストプレス部と、前記画像形成装置及び前記ポストプレス部とを制御する印刷制御装置とで構成される印刷システムであって、前記印刷制御装置は、前記フィニッシャ装置の前記給紙手段が実行可能な給紙方法を示す能力情報を取得する取得手段と、前記取得手段によって取得された能力情報に基づいて、前記画像形成装置の前記排紙手段の排紙方法を決定する決定手段と、ジョブの識別情報と前記決定手段によって決定された排紙方法とを関連付けて前記ポストプレス部に通知する通知手段と、前記ジョブに含まれるコンテンツと、前記識別情報をジョブチケットに含まれる情報として付加した前記ジョブチケットとをともに印刷させるよう前記画像形成装置の前記印刷手段を制御し、前記決定手段によって決定した排紙方法で排紙を行わせるよう前記画像形成装置の前記排紙手段を制御する制御手段とを有し、前記ポストプレス部は、前記給紙手段が前記印刷物を給紙する際に前記通知手段により通知された識別情報から前記ジョブチケットに印刷されている識別情報と一致する識別情報を検索する検索手段と、前記検索手段によって検索された前記識別情報に関連付けられている排紙方法と、前記フィニッシャ装置の前記給紙手段の給紙方法とを比較する比較手段と、前記比較手段によって比較された結果、前記排紙方法と前記給紙方法が一致している場合には前記後処理を行わせるよう前記後処理手段を制御し、前記比較手段によって比較された結果、前記排紙方法と前記給紙方法が一致していない場合には前記後処理を行わせないよう前記後処理手段を制御するフィニッシャ制御手段とを有し、前記制御手段は、前記比較手段によって比較された結果、前記排紙方法と前記給紙方法が一致していない場合に、前記フィニッシャ装置の前記給紙手段の給紙方法を変更するように促す警告を行わせるよう警告手段を制御することを特徴とする。
【００１０】
また、本発明の印刷制御システムは、印刷を行う印刷手段と前記印刷手段によって印刷された印刷物を排紙する排紙手段とを有する画像形成装置と、印刷物を給紙する給紙手段と前記給紙手段によって給紙した印刷物に後処理を行う後処理手段とを有するフィニッシャ装置と前記フィニッシャ装置を制御するフィニッシャ制御装置とにより構成されるポストプレス部と、前記画像形成装置及び前記ポストプレス部とを制御する印刷制御装置とで構成される印刷システムであって、前記印刷制御装置は、前記フィニッシャ装置の前記給紙手段が実行可能な給紙方法を示す能力情報を取得する取得手段と、前記取得手段によって取得された能力情報に基づいて、前記画像形成装置の前記排紙手段の排紙方法を決定する決定手段と、ジョブの識別情報と前記決定手段によって決定された排紙方法とを関連付けて前記ポストプレス部に通知する通知手段と、前記ジョブに含まれるコンテンツと、前記識別情報をジョブチケットに含まれる情報として付加した前記ジョブチケットとをともに印刷させるよう前記画像形成装置の前記印刷手段を制御し、前記決定手段によって決定した排紙方法で排紙を行わせるよう前記画像形成装置の前記排紙手段を制御する制御手段とを有し、前記ポストプレス部は、前記給紙手段が前記印刷物を給紙する際に前記通知手段により通知された識別情報から前記ジョブチケットに印刷されている識別情報と一致する識別情報を検索する検索手段と、前記検索手段によって検索された前記識別情報に関連付けられている排紙方法と、前記フィニッシャ装置の前記給紙手段の給紙方法とを比較する比較手段と、前記比較手段によって比較された結果、前記排紙方法と前記給紙方法が一致している場合には前記後処理を行わせるよう前記後処理手段を制御し、前記比較手段によって比較された結果、前記排紙方法と前記給紙方法が一致していない場合には前記後処理を行わせないよう前記後処理手段を制御するフィニッシャ制御手段とを有し、前記制御手段は、前記比較手段によって比較された結果、前記排紙方法と前記給紙方法が一致していない場合に、前記フィニッシャ装置の前記給紙手段の給紙方法を変更させるよう変更手段を制御することを特徴とする。
【発明の効果】
【００１３】
本発明によって、印刷機の排紙方法とニアラインフィニッシャの給紙方法とが一致していない状態でフィニッシング処理が行われることを防止することができる。
【００１４】
また、本発明によって、オペレータがジョブチケットを確実に入手でき、ジョブチケットの紛失によって誤ったフィニッシング処理をしてしまうといった、ヒューマンエラーを減らすことができる。
【発明を実施するための最良の形態】
【００１５】
以下、本発明の実施例について添付図面に従って詳細に説明する。
【実施例１】
【００１６】
図１は本発明において適用される印刷システム全体の基本構成の一例を示すブロック図である。本ブロック図は、一つまたは複数のエンドユーザ環境である１、２と、インターネットを介して接続されているＰＯＤサイト環境３とで構成されている。
【００１７】
エンドユーザ環境１、２では、印刷依頼を行う発注者が存在する。発注者は、それぞれのエンドユーザ環境（ここでは、エンドユーザ環境Ａ１及び、エンドユーザ環境Ｂ２）からインターネットを介して、ＰＯＤサイト環境３に対して印刷依頼のジョブを送信する。
【００１８】
一方、ＰＯＤサイト環境３は、通常は工程管理部４、デジタルプリント部５及び、ポストプレス部６で構成されている。
【００１９】
工程管理部４は、ＰＯＤサイト環境における、デジタルプリント部５、ポストプレス部６の各工程に対して作業を指示し、コンピュータや各種デバイスにより構成される本システムのワークフローを一元管理する。また、工程管理部４は、前述のエンドユーザ環境１、２からジョブの受信及び保管を行う。さらに、工程管理部４は、ジョブの指定に基づいて各工程における作業をワークフローとして組み立て、各デバイスや各オペレータにおける作業を効率よくスケジュールする。
【００２０】
デジタルプリント部５は、工程管理部より受信したジョブの作業指示に従って、白黒ＭＦＰ（Ｍｕｌｔｉ  Ｆｕｎｃｔｉｏｎ  Ｐｒｉｎｔｅｒ）やカラーＭＦＰ等によりエンドユーザ環境１、２から受け取った紙原稿をコピーする。また、デジタルプリント部５はエンドユーザ環境１、２から受信した文書／画像ファイルやスキャンデバイスによりスキャンしたスキャン画像ファイルやそれらを編集した文書／画像ファイルを白黒ＭＦＰやカラーＭＦＰ等のプリントデバイスにより印刷する。
【００２１】
ポストプレス部６は、デジタルプリント部５の白黒ＭＦＰやカラーＭＦＰに接続されているフィニッシャの機能や能力が不足する場合に、不足する能力を補う。また、ポストプレス部６は、工程管理部４あるいはデジタルプリント部５より受信したジョブの作業指示に従って、紙折り機、中綴じ製本機、くるみ製本機、断裁機、封入機、帳合機等のフィニッシャを制御する。また、ポストプレス部６は、デジタルプリント部５より排紙された印刷物に対して、紙折り、中綴じ製本、くるみ製本、断裁、封入、帳合等のフィニッシング処理を実行する。
【００２２】
次に、図２は、本発明において適用される印刷システム全体の基本構成の一例を示すもう一つのブロック図である。図２は、図１の印刷システム全体の基本構成ブロック図から本発明を説明するのに必要な構成だけを残した図であり、以降はこの図を使って実施例を説明する。
【００２３】
本実施例では、印刷システム内の工程管理部４は、ＭＩＳサーバ２０と受注サーバ２１とファイルシステムサーバ２２とで構成されている。またデジタルプリント部５はカラーＭＦＰ３７とクライアントＰＣ３１とで構成されている。カラーＭＦＰ３７の内部構成はジョブの受信からジョブ内に記録されている情報に従って印刷物の排紙までを処理するＭＦＰ本体部９１と、ＭＦＰ本体部９１から印刷物の搬送路として接続されているインラインフィニッシャ９３とから成る。
【００２４】
クライアントＰＣ３１は、ＪＤＦハンドラ３８とＵＩ部３９とで構成されている。ＪＤＦハンドラ３８は印刷システム全体を制御するソフトウェアである。ＪＤＦハンドラ３８は、ＭＩＳサーバ２０及びポストプレスサーバ４０に対してＪＤＦジョブ（以下単にジョブと記述する）の送受信、ジョブステータスの通知を行う。また、ＪＤＦハンドラ３８は、ニアラインフィニッシャ４６の能力情報を含むステータス情報を取得する。さらに、ＪＤＦハンドラ３８は、ＭＩＳサーバ２０から受信したジョブを解析し、ＭＦＰ本体部９１に印刷を、ポストプレスサーバ４０にフィニッシング処理を指示する。ＵＩ部３９はＪＤＦハンドラ３８によってＣＰＵ１０１がジョブを処理する際にユーザによる入力情報を受け付けるユーザインタフェースである。以後ユーザインタフェースをＵＩとも呼ぶこととする。そしてポストプレス部６はポストプレスサーバ４０とくるみ製本機であるニアラインフィニッシャ４６とで構成される。
【００２５】
ポストプレスサーバ４０は、ＭＩＳサーバ２０やクライアントＰＣ３１にポストプレス部６内の各デバイスの能力情報を含むステータス情報を送信したり、クライアントＰＣ３１からジョブを受信したりする。また、ポストプレスサーバ４０は、ニアラインフィニッシャ４６が印刷物の入稿を受ける際、クライアントＰＣ３１から指示されたフィニッシング処理内容とニアラインフィニッシャ４６が実行可能なフィニッシング処理内容とが一致しているかどうかを確認する。
【００２６】
そして９０はＬＡＮ等のネットワークであり、ＭＩＳサーバ２０やカラーＭＦＰ３７やポストプレスサーバ４０などの各機器はネットワーク９０で接続されている。
【００２７】
ＭＩＳサーバ２０は、ジョブの受注からフィニッシング処理までのシステム全体のワークフローを管理する。ワークフローの管理の具体的な処理内容は以下のとおりである。受注サーバ２１が受注したジョブをＭＩＳサーバ２０へ送信する。ＭＩＳサーバ２０が受信したジョブの記録を行う。ＭＩＳサーバ２０は印刷システム全体のジョブの処理スケジュールを管理する機能を所持しており、ＭＩＳサーバ２０が、上記記録されたジョブを印刷システム内で処理すべきジョブとして処理スケジュール情報とともに管理する。更に、ＭＩＳサーバ２０は、上記処理スケジュールに従って、カラーＭＦＰ３７にジョブの処理開始を指示し、カラーＭＦＰ３７から現在の処理ステータス情報を受け取る。続いて、ＭＩＳサーバ２０は、カラーＭＦＰ３７からジョブの終了通知を受け取り、ポストプレスサーバ４０にカラーＭＦＰ３７で印刷された印刷物のフィニッシング処理を指示するジョブを送る。さらに、ＭＩＳサーバ２０は、ポストプレスサーバ４０からフィニッシング処理のステータス情報及び、フィニッシング処理の終了通知を受け取る。また、ＭＩＳサーバ２０は上記の各種受け取った情報をＭＩＳサーバ２０に接続されたＣＲＴ（Ｃａｔｈｏｄｅ  Ｒａｙ  Ｔｕｂｅ）やクライアントＰＣ３１のＵＩ部３９を通じて、オペレータに通知する。
【００２８】
図３は、図２におけるクライアントＰＣ３１の構成を示すブロック図である。１０１はＣＰＵであり、ＲＯＭ１０３に格納されているプログラムを読み出し、実行する。１０２はＲＡＭでありＣＰＵ１０１の主メモリ、ワークエリアとして機能する。１０３はＲＯＭであり、データ、プログラム等が記憶される記憶媒体である。１０５はＫＢＣ（キーボードコントローラ）であり、キーボード１０９や不図示のポインティングデバイスからの入力を制御する。１０６はＣＲＴＣ（ＣＲＴコントローラ）であり、ＵＩ部３９の表示を制御する。１０７はＤＫＣ（ディスクコントローラ）であり、外部メモリ１１１とのアクセスを制御する。ＣＰＵ１０１がＲＯＭ１０３に記憶されているプログラムを読み込み実行することで、ＪＤＦハンドラ３８が動作し、印刷システムの制御を行う。
【００２９】
次に、図４、図５を用いて本実施例における印刷物の排紙及び給紙について説明する。
【００３０】
図４は、カラーＭＦＰ３７の外観を示す図である。１０は排紙部であり、カラーＭＦＰ３７の印刷部で印刷された印刷物が排紙部１０によって排紙される。本明細書では図４の矢印の方向を上方向とし、印刷物が排紙部１０により排紙され、複数枚積載されている状態において、最も上方向にある印刷物を、印刷物の最上部、最も下方向にある印刷物を印刷物の最下部と定義する。また、印刷物において上方向を向いている面を上面、下方向を向いている面を下面と定義する。印刷物の表面と上面は意味が異なり、例えばフェースダウンで排紙された印刷物では裏面が上面となる。
【００３１】
図５は、ニアラインフィニッシャ４６の外観を示す図である。１１は給紙部であり、給紙部１１により給紙された印刷物に対して、ニアラインフィニッシャ４６の後処理部でフィニッシング処理が行われる。
【００３２】
次に、本発明の印刷システムにおいて取り扱うデータ形式について説明する。
【００３３】
まず、カラーＭＦＰ３７の排紙方法がフェースアップである場合のデータ形式について説明する。図６は、排紙方法がフェースアップである場合の印刷ジョブデータおよびフィニッシング制御データの例を示す図である。ＣＰＵ１０１がＪＤＦハンドラ３８によって、受信したジョブに基づいて印刷ジョブデータ１５０を生成し、カラーＭＦＰ３７へ送信する。また、ＣＰＵ１０１がＪＤＦハンドラ３８によって、受信したジョブに基づいてフィニッシング制御データ１５１を生成し、ポストプレスサーバ４０へ送信する。
【００３４】
排紙方法がフェースアップである場合の印刷ジョブデータ１５０は、フェースアップ印刷を指定するコード、ジョブチケット表面ページの描画データ、ジョブチケット裏面ページの描画データ、コンテンツページのデータの順で構成される。ここでフェースアップ印刷とは、印刷部で印刷された印刷物を排紙部１０においてフェースアップで排紙することをいう。ジョブチケット表面ページの描画データは、ジョブを識別するための識別情報としてＩＤ情報をバーコードで描画するデータとコンテンツページの先頭ページの描画データの複製とを含んでいる。
【００３５】
また、ジョブチケット裏面ページの描画データは空白ページとなっており、ジョブチケットの描画データに続く形で、フィニッシング処理の対象となるコンテンツページが配置されている。
【００３６】
各ページは、印刷する用紙の指定を含んでおり、通常、ジョブチケットページは、コンテンツページとは別のジョブチケット専用の用紙に印刷するように指定されている。また、フィニッシング制御データ１５１は、ＩＤ情報、フェースアップを示すカラーＭＦＰ３７での排紙方法に関する情報、ニアラインフィニッシャ４６でのフィニッシング処理の詳細を指示するフィニッシング指示データで構成される。ここで、ＩＤ情報はジョブを識別するための識別情報である。ポストプレスサーバ４０は、このフィニッシング制御データ１５１を受け取り、実際に印刷物が入稿されるまで保持する。そして、印刷物の入稿時にこの情報に基づき、ニアラインフィニッシャ４６が入稿確認およびフィニッシング処理を行う。
【００３７】
次に、カラーＭＦＰ３７の排紙方法がフェースダウンである場合のデータ形式について説明する。図７は、排紙方法がフェースダウンである場合の印刷ジョブデータ２００およびフィニッシング制御データ２０１の例を説明する図である。ＣＰＵ１０１がＪＤＦハンドラ３８によって、受信したジョブに基づいて印刷ジョブデータ２００を生成し、カラーＭＦＰ３７へ送信する。また、ＣＰＵ１０１がＪＤＦハンドラ３８によって、受信したジョブに基づいてフィニッシング制御データ２０１を生成し、ポストプレスサーバ４０へ送信する。
【００３８】
排紙方法がフェースダウンである場合の印刷ジョブデータ２００は、フェースダウン印刷を指定するコード、コンテンツページのデータ、ジョブチケット表面ページの描画データ、ジョブチケット裏面ページの描画データの順で構成される。ここでフェースダウン印刷とは、印刷部で印刷された印刷物を排紙部１０においてフェースダウンで排紙することをいう。ジョブチケット表面ページの描画データは空白ページとなっている。
【００３９】
また、ジョブチケット裏面ページの描画データは、ジョブのＩＤ情報をバーコードで描画するデータとコンテンツページの先頭ページの描画データの複製とを含んでいる。排紙方法がフェースダウンである場合は、フィニッシング処理の対象となるコンテンツページに続く形で、ジョブチケットの描画データがある。そしてさらにジョブのＩＤ情報を含むジョブチケット情報が印刷された面が排紙された印刷物の最上部かつ上面になるように、ジョブチケット裏面ページにジョブのＩＤ情報等の描画データが配置されている。
【００４０】
さらに、各ページは、印刷する用紙の指定を含んでおり、通常、ジョブチケットは、コンテンツページとは別のジョブチケット専用の用紙に印刷するように指定されている。
【００４１】
また、フィニッシング制御データ２０１は、ジョブ、ジョブのＩＤ情報、フェースダウンを示すカラーＭＦＰ３７での排紙方法に関する情報、およびニアラインフィニッシャ４６でのフィニッシング処理の詳細を指示するフィニッシング指示データで構成される。ポストプレスサーバ４０は、このフィニッシング制御データ２０１を受け取り、実際に印刷物が入稿されるまで保持する。そして、印刷物の入稿時にこの情報に基づき、ニアラインフィニッシャ４６が入稿確認およびフィニッシング処理を行う。
【００４２】
次に本実施例におけるジョブチケットについて詳しく説明する。図８は、本実施例におけるジョブのＩＤ情報付きジョブチケットの例を説明する図である。積載された印刷物における最上部の上面に排紙されているページがジョブチケット２５０であり、その後にコンテンツページ２５１が続く。
【００４３】
ジョブチケット２５０には、コンテンツページ２５１の先頭ページの描画データがコピーされ、上端にはジョブのＩＤ情報を示すバーコード２５２が印刷されている。図８のジョブチケット２５０は、カラーＭＦＰ３７の排紙方法がフェースアップである場合の例で、ジョブチケット２５０に引き続き、コンテンツページ２５１の先頭ページ（この例では表紙）が印刷されている。カラーＭＦＰ３７の排紙方法がフェースダウンである場合は、コンテンツページ２５１は逆順になるので、コンテンツページ２５１の表紙は、積載された印刷物における最下部の下面に排紙される。また、この場合でもジョブチケット２５０は積載された印刷物における最上部の上面に排紙される。
【００４４】
尚、本実施例ではジョブのＩＤ情報を示すためにバーコードを用いているが、バーコードに限らず、ＱＲコード、ＬＶＢＣなど、紙媒体に情報を付加することのできる方法であればよい。
【００４５】
次に印刷オプションの設定画面について説明する。図９は、図１１のフローチャートで後述するＵＩ部３９で表示する印刷オプションの選択画面の例を説明する図である。ニアラインフィニッシャ４６が、フェースアップあるいはフェースダウンのどちらの給紙方法も実行可能なとき、選択画面１３００で選択されＵＩ部３９が受け付けた印刷オプションに基づき、ＣＰＵ１０１がＪＤＦハンドラ３８によって印刷オプションを設定する。そして、ＣＰＵ１０１がＪＤＦハンドラ３８によって、設定された印刷オプションに応じてカラーＭＦＰ３７の排紙方法を決定する。本実施例では、印刷オプションとして秘匿印刷、目視確認印刷、スピード優先印刷の設定を提供している。秘匿印刷は、人目に触れたくないコンテンツに対しフィニッシング処理させたい場合に選択する。目視確認印刷は、コンテンツの印刷をオペレータが逐次目視確認可能としたい場合に選択する。スピード優先印刷は印刷時間の短縮を最優先する場合に選択する。例えば、選択カーソル１３０１が秘匿印刷を示している状態で、ＯＫボタン１３０２が押されることで、ＵＩ部３９が選択を受け付け、ＣＰＵ１０１がＪＤＦハンドラ３８によって受け付けた選択に基づいて印刷オプションとして秘匿印刷を設定する。
【００４６】
次に、本実施例の動作を図１０、図１１、図１２、及び図１３を参照して説明する。図１０、図１１、図１２のフローチャートの各ステップの流れは、ＲＯＭ１０３内部のプログラムをＣＰＵ１０１が読取り実行し、ＪＤＦハンドラ３８が動作することで実現される。また、図１３のフローチャートの各ステップの流れは、図３のブロック図とほぼ同様の構成を持つポストプレスサーバ４０のＣＰＵがポストプレスサーバ４０のＲＯＭに記憶されているプログラムを読取り実行することによって実現される。
【００４７】
図１０は、ＣＰＵ１０１がＪＤＦハンドラ３８によってジョブの排紙方法を決定し、ポストプレスサーバ４０に通知する処理を説明するフローチャートである。
【００４８】
クライアントＰＣ３１がＭＩＳサーバ２０からジョブを受信すると、ステップＳ１４０では、ジョブで指定されたフィニッシング処理をもとにＣＰＵ１０１がポストプレスサーバ４０に問い合わせた情報に基づいて、使用するニアラインフィニッシャ４６を特定する。
【００４９】
ステップＳ１４１では、ポストプレスサーバ４０を介して、ステップＳ１４０で特定したニアラインフィニッシャ４６が実行可能な給紙方法を示す能力情報をＣＰＵ１０１が取得する。尚、予めクライアントＰＣ３１のＲＯＭ１０３にニアラインフィニッシャ４６が実行可能な給紙方法を示すテーブルを記憶しておき、ＣＰＵ１０１がテーブルを参照することで能力情報を取得する構成であっても構わない。
【００５０】
ステップＳ１４２では、ＣＰＵ１０１が取得した能力情報を判別し、ニアラインフィニッシャ４６が実行可能な給紙方法がフェースアップのみであると判別された場合は、ステップＳ１４３に移行する。ステップＳ１４３ではＣＰＵ１０１がカラーＭＦＰ３７での排紙方法をフェースアップに決定し、決定した排紙方法をＲＯＭ１０３で記憶する。
【００５１】
ステップＳ１４２において、ニアラインフィニッシャ４６がフェースアップおよびフェースダウンどちらの給紙方法でも実行可能であると判別された場合は、ステップＳ１４４に移行する。
【００５２】
ステップＳ１４４ではＵＩ部３９がＣＰＵ１０１が印刷オプションの選択画面１３００からの入力情報に基づきカラーＭＦＰ３７の排紙方法を決定し、決定した排紙方法をＲＯＭ１０３で記憶する。ここで、印刷オプションは予め設定されていても構わない。
【００５３】
ステップＳ１４２の判別で、ニアラインフィニッシャ４６が実行可能な給紙方法がフェースダウンのみであると判別された場合は、ステップＳ１４５に移行する。そして、ＣＰＵ１０１がカラーＭＦＰ３７の排紙方法をフェースダウンに決定し、決定した排紙方法をＲＯＭ１０３で記憶する。
【００５４】
ステップＳ１４６では、ＣＰＵ１０１がジョブのＩＤ情報を生成する。本実施例では直前に印刷されたジョブのＩＤ情報に１を加えたシーケンシャルな数値をジョブのＩＤ情報とする。
【００５５】
ステップＳ１４７では、図１２のフローチャートを用いて後述するジョブチケットページ付加処理を行う。
【００５６】
ステップＳ１４８では、決定したカラーＭＦＰ３７の排紙方法をＣＰＵ１０１が印刷ジョブデータに付加し、ＣＰＵ１０１がカラーＭＦＰ３７の印刷部に印刷を行うよう制御し、排紙部１０に対して決定した排紙方法で排紙を行うよう制御する。
【００５７】
ステップＳ１４９では、ＣＰＵ１０１が生成したジョブのＩＤ情報と決定したカラーＭＦＰ３７の排紙方法とを関連付けてポストプレスサーバ４０に通知する。
【００５８】
このように、カラーＭＦＰ３７での排紙方法をポストプレスサーバ４０へ通知することにより、ニアラインフィニッシャでの給紙方法を通知された排紙方法に基づいて決定できるという効果が得られる。
【００５９】
図１１は、図１０のステップＳ１４４におけるＵＩ部３９での処理を説明するフローチャートで、図９で前述した印刷オプションの選択画面１３００からの入力に基づいた処理を行う。
【００６０】
ＵＩ部３９は、印刷オプションの設定を行う際、ステップＳ１５０でオペレータからの入力待ちを行う。入力がない場合は入力待ち状態を継続し、入力があれば、ＵＩ部３９が入力を受け付けステップＳ１５１に移行する。
【００６１】
ステップＳ１５１ではＣＰＵ１０１が受け付けた印刷オプションを判断し、印刷オプションを設定する。印刷オプションが目視確認であると判断された場合は、ステップＳ１５２に移行し、ＣＰＵ１０１がカラーＭＦＰ３７の排紙方法をフェースアップに決定し、決定した排紙方法をＲＯＭ１０３で記憶する。印刷オプションが秘匿印刷であると判断された場合は、ステップＳ１５３に移行し、ＣＰＵ１０１がカラーＭＦＰ３７の排紙方法をフェースダウンに決定し、決定した排紙方法をＲＯＭ１０３で記憶する。印刷オプションがスピード優先印刷であると判断された場合は、ステップＳ１５４に移行し、ＣＰＵ１０１がカラーＭＦＰ３７の排紙方法をフェースダウンに決定し、決定した排紙方法をＲＯＭ１０３で記憶する。本実施例のカラーＭＦＰ３７では、排紙方法がフェースダウンである場合の方が処理速度が速いため、印刷オプションがスピード優先印刷である場合のカラーＭＦＰ３７の排紙方法をフェースダウンとした。しかしながら、カラーＭＦＰ３７の排紙方法がフェースアップである場合の方が処理速度が速い場合には、排紙方法をフェースアップに決定する。また、本実施例では印刷オプションの例として目視確認、秘匿印刷、スピード優先印刷を使用したが、それ以外の印刷オプションが存在する場合についても、設定された印刷オプションに応じて適切な排紙方法を決定するようにしてもよい。
【００６２】
図１２は、図１０のステップＳ１４７におけるジョブチケットページ付加処理を示すフローチャートである。
【００６３】
ジョブチケット付加処理が開始されると、ステップＳ１６０でＣＰＵ１０１がコンテンツページ２５１の先頭ページの描画データを取り出し、複製記憶する。
【００６４】
ステップＳ１６１では、ＣＰＵ１０１がジョブのＩＤ情報をバーコードに変換しページの右上に表示する描画データを生成し、複製記憶した描画データに付加する。
【００６５】
ステップＳ１６２では、決定されたカラーＭＦＰ３７の排紙方法がフェースアップかフェースダウンかをＣＰＵ１０１が判断し、フェースアップであると判断された場合、ステップＳ１６３に移行する。ステップＳ１６３ではＣＰＵ１０１が表面ページを複製記憶した描画データ、裏面ページを空白ページとしたジョブチケット２５０を印刷ジョブデータの先頭ページに挿入マージする。
【００６６】
また、ステップＳ１６２で排紙方法がフェースダウンであると判断された場合は、ステップＳ１６４に移行する。ステップＳ１６４ではＣＰＵ１０１が表面ページを空白ページ、裏面ページを複製記憶した描画データとしたジョブチケット２５０を印刷ジョブデータの最終ページに挿入マージする。
【００６７】
図１３は、ポストプレスサーバ４０におけるニアラインフィニッシャ４６の制御処理を説明するフローチャートである。以下の処理はポストプレスサーバ４０のＣＰＵが実行する。
【００６８】
フィニッシング処理において、ステップＳ１７０ではクライアントＰＣ３１から、ジョブのＩＤ情報及び排紙方法を取得し、保持する。これは、クライアントＰＣ３１を介してカラーＭＦＰ３７で印刷処理が行われるごとに、図６あるいは図７で説明したフィニッシング制御データ１５１、２０１がポストプレスサーバ４０に送信されるので、これを逐次保持する。
【００６９】
ステップＳ１７１では、ニアラインフィニッシャ４６へ入稿される印刷物の入稿待ちを行う。印刷物の入稿があれば、ステップＳ１７２に移行し、入稿された印刷物のジョブチケット２５０のバーコードを読取り、印刷物のジョブのＩＤ情報を取得する。
【００７０】
ステップＳ１７３では、すでに保持しているフィニッシング制御データ１５１、２０１から、入稿された印刷物のジョブのＩＤ情報に該当するデータを検索し、該当するデータがあるかどうかを判断する。ステップＳ１７３で該当するフィニッシング制御データ１５１、２０１があると判断された場合はステップＳ１７４へ移行し、ないと判断された場合はステップＳ１７７においてエラー処理を行い後処理部にフィニッシング処理を行わせないよう制御する。
【００７１】
ステップＳ１７４では、該当したフィニッシング制御データ１５１、２０１から、カラーＭＦＰ３７において入稿された印刷物を排紙した排紙方法を取得する。
【００７２】
ステップＳ１７５では、ニアラインフィニッシャ４６に設定されている入稿された印刷物の給紙方法と、ステップＳ１７４で取得したカラーＭＦＰ３７の排紙方法とが一致しているかを比較する。比較の結果、ニアラインフィニッシャ４６の給紙方法とカラーＭＦＰ３７の排紙方法とが一致していればステップＳ１７６に移行する。ステップＳ１７６では、フィニッシング制御データ１５１、２０１のフィニッシング指示データに従い、ニアラインフィニッシャ４６の後処理部にフィニッシング処理を行わせるよう制御する。
【００７３】
一方、ステップＳ１７５で比較の結果、ニアラインフィニッシャ４６の給紙方法とカラーＭＦＰ３７の排紙方法とが一致していない場合は、ステップＳ１７８に移行する。ステップＳ１７８ではニアラインフィニッシャ４６の給紙方法の設定を、カラーＭＦＰ３７の排紙方法と一致した給紙方法に変更可能であるかどうかを判断する。判断の結果、設定の変更が可能である場合には、ステップＳ１７９へ移行し、ニアラインフィニッシャ４６の給紙方法の変更を促すようオペレータに対して警告を行う。また、設定が変更不可能である場合には、Ｓ１７７へ移行し、エラー処理を行い後処理部にフィニッシング処理を行わせないよう制御する。
【００７４】
ステップＳ１８０ではニアラインフィニッシャ４６の給紙方法が変更されたかどうかを判断し、変更されていればステップＳ１７５へ移行し、再びニアラインフィニッシャ４６の給紙方法とカラーＭＦＰ３７の排紙方法とを比較する。ニアラインフィニッシャ４６の給紙方法が変更されていない場合はステップＳ１７７に移行し、エラー処理を行い後処理部にフィニッシング処理を行わせないよう制御する。
【００７５】
以上の図１０、図１１、図１２、図１３のフローチャートのように印刷システムを制御することによって、カラーＭＦＰ３７の排紙方法と、ニアラインフィニッシャ４６の給紙方法とを一致させフィニッシング処理を行うことが可能となる。またそれにより、印刷物に対して誤ったフィニッシング処理が行われることを防ぐことができる。
【００７６】
尚、本実施例に適用されるニアラインフィニッシャ４６では、給紙方法の変更は物理的操作によって行われるものであり、変更の作業をオペレータが行う構成とした。しかし、ニアラインフィニッシャ４６の給紙方法を電気的に変更可能である構成であってもよい。この場合、ステップＳ１７５における比較の結果が一致していなかった場合に、ポストプレスサーバ４０のＣＰＵが、ニアラインフィニッシャ４６の給紙方法をカラーＭＦＰ３７の排紙方法と一致するよう変更するのが望ましい。
【実施例２】
【００７７】
以下では、第２の実施例として、ジョブチケットに印刷物のカラーＭＦＰ３７における排紙方法を付加し、オペレータが目視できる形でジョブチケットを印刷する処理について添付図面に従って詳細に説明する説明する。本実施例により、オペレータがニアラインフィニッシャ４６に給紙方法を設定する際に、オペレータの判断で容易に印刷物に適した給紙方法が設定可能となる。
【００７８】
尚、第２の実施例においても本発明に適用する印刷システムとして、第１の実施例と同様の印刷システムを適用する。また、ＲＯＭ１０３には後述する図１５及び図１６のフローチャートとして示されるプログラムが記憶されている。図１５、図１６のフローチャートの各ステップの流れは、ＲＯＭ１０３内部のプログラムをＣＰＵ１０１が読取り実行し、ＪＤＦハンドラ３８が動作することで実現される。
【００７９】
図１４は、本発明第２の実施例におけるカラーＭＦＰ３７の排紙方法を可視状態で付加したジョブチケットの例を説明する図である。積載されている印刷物の最上部のページ３００がジョブチケットであり、その後に３０１のコンテンツページが続く。ジョブチケット３００には、コンテンツページ３０１の先頭ページの描画データが複製され、上端にはカラーＭＦＰ３７の排紙方法が可視な状態で印刷される。この例は、カラーＭＦＰ３７の排紙方法がフェースダウンである場合のものである。印刷物の最上部にはジョブチケット３００に引き続き、コンテンツページ３０１の最終ページの裏面が印刷され、コンテンツページ３０１の先頭ページの表面は印刷物の最下部の下面に印刷されている。一方、カラーＭＦＰ３７の排紙方法がフェースアップである場合には、印刷物の最上部にはジョブチケット３００に引き続き、コンテンツページ３０１の先頭ページが印刷される。
【００８０】
次に、本実施例の動作を図１５及び１４を参照して説明する。図１５は、ＣＰＵ１０１がＪＤＦハンドラ３８によってカラーＭＦＰ３７における排紙方法を決定し、決定された排紙方法をジョブチケット３００に反映させる処理を説明するフローチャートでる。
【００８１】
クライアントＰＣ３１がＭＩＳサーバ２０からジョブを受信すると、ステップＳ１９０では、ジョブで指定されたフィニッシング処理をもとにＣＰＵ１０１がポストプレスサーバ４０に問い合わせることで使用するニアラインフィニッシャ４６を特定する。
【００８２】
ステップＳ１９１では、ポストプレスサーバ４０を介して、ステップＳ１９０で特定したニアラインフィニッシャ４６が処理可能な給紙方法を示す能力情報をＣＰＵ１０１が取得する。ここでも実施例１と同じくテーブルを使用した構成でも構わない。
【００８３】
ステップＳ１９２では、ＣＰＵ１０１が取得した能力情報を判別し、ニアラインフィニッシャ４６が実行可能な給紙方法がフェースアップのみであると判別された場合は、ステップＳ１９３に移行する。ステップ１９３ではカラーＭＦＰ３７での排紙方法をフェースアップに決定し、決定した排紙方法をＲＯＭ１０３で記憶する。
【００８４】
ステップＳ１９２において、ニアラインフィニッシャ４６がフェースアップおよびフェースダウンどちらの給紙方法でも実行可能であると判別された場合は、ステップＳ１９４に移行する。
【００８５】
ステップＳ１９４ではＵＩ部３９がＣＰＵ１０１が印刷オプションの選択画面１３００からの入力情報に基づきカラーＭＦＰ３７の排紙方法を決定し、決定した排紙方法をＲＯＭ１０３で記憶する。ここで、印刷オプションは予め設定されていても構わない。
【００８６】
ステップＳ１９２の判別で、ニアラインフィニッシャ４６が実行可能な給紙方法がフェースダウンのみであると判別された場合は、ステップＳ１９５に移行する。そして、ＣＰＵ１０１がカラーＭＦＰ３７の排紙方法をフェースダウンに決定し、決定した排紙方法をＲＯＭ１０３で記憶する。
【００８７】
ステップＳ１９６では、図１６を用いて後述するジョブチケットページ付加処理を行う。
【００８８】
ステップＳ１９７では、決定したカラーＭＦＰ３７の排紙方法をＣＰＵ１０１が印刷ジョブデータに付加し、ＣＰＵ１０１がカラーＭＦＰ３７の印刷部に印刷を行うよう制御し、排紙部１０に対して決定した排紙方法で排紙を行うよう制御する。
【００８９】
図１６は、図１５のステップＳ１９６におけるジョブチケットページ付加処理を説明するフローチャートである。
【００９０】
ジョブチケットページ付加処理が開始されると、ステップＳ２００でＣＰＵ１０１がコンテンツページ３０１の先頭ページの描画データを取り出し、複製記憶する。
【００９１】
ステップＳ２０１では、ＣＰＵ１０１がカラーＭＦＰ３７の排紙方法を示す文字列をページの右上に表示する描画データを生成し、ステップＳ２００で複製記憶した描画データに付加する。
【００９２】
ステップＳ２０２では、決定されたカラーＭＦＰ３７の排紙方法がフェースアップかフェースダウンかをＣＰＵ１０１が判断し、フェースアップであると判断された場合、ステップＳ２０３に移行する。ステップＳ２０３ではＣＰＵ１０１が表面ページを複製記憶した描画データ、裏面ページを空白ページとしたジョブチケット３００をコンテンツページ３０１の先頭ページに挿入マージする。
【００９３】
また、ステップＳ２０２でカラーＭＦＰ３７の排紙方法がフェースダウンであると判断された場合は、ステップＳ２０４に移行する。ステップＳ２０４では、ＣＰＵ１０１が表面ページを空白ページ、裏面ページを複製記憶した描画データとしたジョブチケット３００をコンテンツページ３０１の最終ページに挿入マージする。
【００９４】
以上の図１５、図１６のフローチャートのように制御を行い、カラーＭＦＰ３７の排紙方法を可視状態で印刷されたジョブチケット３００を、積載されている印刷物の最上部の上面に排紙した。これにより、オペレータがカラーＭＦＰ３７の排紙方法に関わらず確実に印刷されたジョブチケット３００を入手できる。
【実施例３】
【００９５】
以下では、第３の実施例として、印刷物のカラーＭＦＰ３７における排紙方法をバーコード形式で付加したジョブチケットを印刷する処理について添付図面に従って実施例を詳細に説明する。本実施例により、ニアラインフィニッシャ４６が印刷物の入稿時にジョブチケットのバーコードを読取ることで、カラーＭＦＰ３７の排紙方法を取得できるため、取得した排紙方法に一致した給紙方法が設定可能となる。
【００９６】
尚、第３の実施例において本発明に適用する印刷システムとしても、第１の実施例と同様の印刷システムを適用する。また、ＲＯＭ１０３には後述する図１８のフローチャートとして示されるプログラムが記憶されている。図１８のフローチャートの各ステップの流れは、ＲＯＭ１０３内部のプログラムをＣＰＵ１０１が読取り実行し、ＪＤＦハンドラ３８が動作することで実現される。
【００９７】
図１７は、本発明第３の実施例におけるカラーＭＦＰ３７の排紙方法の情報をバーコードとして付加したジョブチケットの例を説明する図である。積載されている印刷物の最上部のページ４００がジョブチケットであり、その後に４０１のコンテンツページが続く。ジョブチケット４００には、コンテンツページ４０１の先頭ページの描画データが複製され、上端にはカラーＭＦＰ３７の排紙方法を示すバーコード４０２が印刷される。この例は、カラーＭＦＰ３７の排紙方法がフェースダウンである場合のものである。印刷物の最上部にはジョブチケット４００に引き続き、コンテンツページ４０１の最終ページの裏面が印刷され、コンテンツページ４０１の先頭ページの表面は印刷物の最下部の下面に印刷されている。一方、カラーＭＦＰ３７の排紙方法がフェースアップである場合には、印刷物の最上部にはジョブチケット４００に引き続き、コンテンツページ４０１の先頭ページが印刷される。
【００９８】
図１８は、図１５のステップＳ１９６におけるジョブチケットページ付加処理を説明するフローチャートである。
【００９９】
ジョブチケットページ付加処理が開始されると、ステップＳ２１０でＣＰＵ１０１がコンテンツページ４０１の先頭ページの描画データを取り出し、複製記憶する。
【０１００】
ステップＳ２１１では、ＣＰＵ１０１がカラーＭＦＰ３７の排紙方法を示すバーコード４０２ページを右上に表示する描画データを生成し、ステップＳ２１０で複製記憶した描画データに付加する。
【０１０１】
ステップＳ２１２では、決定されたカラーＭＦＰ３７の排紙方法がフェースアップかフェースダウンかをＣＰＵ１０１が判断し、フェースアップであると判断された場合、ステップＳ２１３に移行する。ステップＳ２１３ではＣＰＵ１０１が表面ページを複製記憶した描画データ、裏面ページを空白ページとしたジョブチケット４００を印刷ジョブデータの先頭ページに挿入マージする。
【０１０２】
また、ステップＳ２１２でカラーＭＦＰ３７の排紙方法がフェースダウンであると判断された場合は、ステップＳ２１４に移行する。ステップＳ２１４では、ＣＰＵ１０１が表面ページを空白ページ、裏面ページを複製記憶した描画データとしたジョブチケット４００をコンテンツページ４０１の最終ページに挿入マージする。
【０１０３】
以上、図１８のフローチャートのように制御を行うことで、バーコードの情報を元にカラーＭＦＰ３７の排紙方法とニアラインフィニッシャ４６の給紙方法を一致させることができる。そのため、カラーＭＦＰ３７の排紙方法とニアラインフィニッシャ４６の給紙方法とが一致していない状態でフィニッシング処理が行われることを防止することができる。
【０１０４】
尚、本実施例ではジョブの排紙方法を示すためにバーコードを用いているが、バーコードに限らず、ＱＲコード、ＬＶＢＣなど、紙媒体に情報を付加することのできる方法であればよい。
【０１０５】
また、ニアラインフィニッシャ４６がバーコード４０２を読取った後、ポストプレスサーバ４０のＣＰＵの制御によって、自動的にバーコード４０２から読取った排紙方式と一致した給紙方法をニアラインフィニッシャ４６に設定する構成であってもかまわない。
【０１０６】
さらに、上記夫々の実施例においては、ＪＤＦハンドラ３８を全体の処理を制御するソフトウェアとして使用し、ＪＤＦジョブという形式で印刷に関するジョブを取り扱ったが、ＪＤＦにこだわることなく、他の印刷ジョブ形式において本発明を適用してもよい。
【０１０７】
また、上記夫々の実施例における記憶媒体は、データを格納できる媒体（例えば、ＨＤＤやＲＡＭ）であれば何でもよい。
【０１０８】
また、本発明の目的は、上記実施例で示したフローチャートの手順を実現するプログラムコードを記憶した記憶媒体から、コンピュータが、そのプログラムコードを読出し実行することによっても達成される。この場合、記憶媒体から読み出されたプログラムコード自体が上述した実施形態の機能を実現することになる。そのため、このプログラムコードやプログラムコードを記憶した記憶媒体も本発明を構成することができる。
【０１０９】
プログラムコードを供給するための記憶媒体としては、以下のようなコンピュータ読取り可能な記憶媒体を用いることができる。例えば、フロッピー（登録商標）ディスク、ハードディスク、光ディスク、光磁気ディスク、ＣＤ−ＲＯＭ、ＣＤ−Ｒ、磁気テープ、不揮発性のメモリカード、ＲＯＭなどである。
【図面の簡単な説明】
【０１１０】
【図１】従来の印刷システム構成図。
【図２】第１の実施例における印刷システム構成図。
【図３】第１の実施例におけるクライアントＰＣの構成図。
【図４】カラーＭＦＰ３７の外観を示す図。
【図５】ニアラインフィニッシャ４６の外観を示す図。
【図６】第１の実施例における排紙方法がフェースアップである場合の印刷ジョブデータおよびフィニッシング制御データを説明する図。
【図７】第１の実施例における排紙方法がフェースダウンである場合の印刷ジョブデータおよびフィニッシング制御データを説明する図。
【図８】第１の実施例におけるジョブのＩＤ情報付きジョブチケットを説明する図。
【図９】第１の実施例における印刷オプション選択のＵＩを説明する図。
【図１０】第１の実施例の処理を説明する第１のフローチャート。
【図１１】第１の実施例の処理を説明する第２のフローチャート。
【図１２】第１の実施例の処理を説明する第３のフローチャート。
【図１３】第１の実施例の処理を説明する第４のフローチャート。
【図１４】第２の実施例における可視情報付きジョブチケットを説明する図。
【図１５】第２の実施例の処理を説明する第１のフローチャート。
【図１６】第２の実施例の処理を説明する第２のフローチャート。
【図１７】第３の実施例におけるバーコードに情報を埋め込んだジョブチケットを説明する図。
【図１８】第３の実施例の処理を説明するフローチャート。
【符号の説明】
【０１１１】
３１  クライアントＰＣ
３７  カラーＭＦＰ
３８  ＪＤＦハンドラ
３９  ＵＩ部
４０  ポストプレスサーバ
４６  ニアラインフィニッシャ
１０１  ＣＰＵ１０１
１０３  ＲＯＭ
１５０、２００  印刷ジョブデータ
１５１、２０１  フィニッシング制御データ
２５０、３００、４００  ジョブチケット
２５１、３０１、４０１  コンテンツページ
２５２、４０２  バーコード
１３００  選択画面
【図１】
0005274099.tif 000002
【図２】
0005274099.tif 000003
【図３】
0005274099.tif 000004
【図４】
0005274099.tif 000005
【図５】
0005274099.tif 000006
【図６】
0005274099.tif 000007
【図７】
0005274099.tif 000008
【図８】
0005274099.tif 000009
【図９】
0005274099.tif 000010
【図１０】
0005274099.tif 000011
【図１１】
0005274099.tif 000012
【図１２】
0005274099.tif 000013
【図１３】
0005274099.tif 000014
【図１４】
0005274099.tif 000015
【図１５】
0005274099.tif 000016
【図１６】
0005274099.tif 000017
【図１７】
0005274099.tif 000018
【図１８】
0005274099.tif 000019